(57)【要約】【課題】接続不良を生じさせないディスプレイパネルの提供。【解決手段】前面基板１０の一端部に並んで配置された複数の第１電極端子１１Ｙ２は、第１電極端子１１Ｙ２と接続される第２電極端子１８Ｙ２を複数有するフレキシブルプリント基板１８を介して駆動回路基板に接続される。複数の第１電極端子１１Ｙ２の互いに隣接する第１電極端子１１Ｙ２を複数の第１電極端子１１Ｙ２が並べられた方向とは交差する方向に交互にずらして千鳥状に配置し、複数の第２電極端子１８Ｙ２の互いに隣接する第２電極端子１８Ｙ２を第１電極端子１１Ｙ２とは逆の関係となるように交互にずらして千鳥状に配置した。第１電極端子１１Ｙ２の幅寸法Ｙ１１（Ｙ１２）と第２電極端子１８Ｙ２の幅寸法Ｙ１３（Ｙ１４）とは異なる。【選択図】図３
2008300297.tif 000002
【特許請求の範囲】
【請求項１】
パネル基板の端部に並んで配置された複数の第１電極端子に、前記第１電極端子と接続される第２電極端子を複数有するフレキシブルプリント基板を介して駆動回路基板に接続されるディスプレイパネルであって、
前記複数の第１電極端子の互いに隣接する第１電極端子を前記複数の第１電極端子が並べられた幅方向とは交差する方向に交互にずらして配置し、前記複数の第２電極端子の互いに隣接する第２電極端子を前記第１電極端子とは逆の関係となるように交互にずらして配置し、
前記第１電極端子と前記第２電極端子との幅方向の寸法が異なる、
ことを特徴とするディスプレイパネル。
【請求項２】
請求項１に記載されたディスプレイパネルにおいて、
前記複数の第１電極端子の互いに隣接する第１電極端子は異なる幅寸法を有する、
ことを特徴とするディスプレイパネル。
【請求項３】
請求項１に記載されたディスプレイパネルにおいて、
前記複数の第１電極端子のうち一方の第１電極端子は第１の幅寸法を有し、他方の第１電極端子は前記第１の幅寸法よりも広い第２の幅寸法を有し、前記複数の第２電極端子のうち一方の第２電極端子は第１の幅寸法よりも広い第３の幅寸法を有し、他方の第２電極端子は前記第３の幅寸法よりも狭い第４の幅寸法を有する、
ことを特徴とするディスプレイパネル。
【請求項４】
請求項３に記載されたディスプレイパネルにおいて、
前記第１の幅寸法を有する第１電極端子は、前記第３の幅寸法を有する第２電極端子と接続され、前記第２の幅寸法を有する第１電極端子は、前記第４の幅寸法を有する第２電極端子と接続された、
ことを特徴とするディスプレイパネル。
【請求項５】
請求項１から請求項４のいずれかに記載されたディスプレイパネルにおいて、
前記第１電極端子は引出部と接続され、前記第２電極端子は引出部と接続され、これらの第１電極端子と第２電極端子とはそれぞれ前記引出部の幅寸法より広い幅寸法を有する、
ことを特徴とするディスプレイパネル。
【請求項６】
パネル基板の端部に並んで配置された複数の第１電極端子と接続される第２電極端子と、駆動回路基板の端部に並んで配置された複数の第３電極端子と接続される第４電極端子とをそれぞれ複数有するフレキシブルプリント基板を備えるディスプレイパネルであって、
前記複数の第３電極端子の互いに隣接する第３電極端子を前記複数の第３電極端子が並べられた幅方向とは交差する方向に交互にずらして配置し、前記複数の第４電極端子の互いに隣接する第４電極端子を前記第３電極端子とは逆の関係となるように交互にずらして配置し、
前記第３電極端子と前記第４電極端子との幅方向の寸法が異なる、
ことを特徴とするディスプレイパネル。
【請求項７】
請求項６に記載されたディスプレイパネルにおいて、
前記複数の第３電極端子の互いに隣接する第３電極端子は異なる幅寸法を有する、
ことを特徴とするディスプレイパネル。
【請求項８】
請求項６に記載されたディスプレイパネルにおいて、
前記複数の第３電極端子のうち一方の第３電極端子は第１の幅寸法を有し、他方の第３電極端子は前記第１の幅寸法よりも広い第２の幅寸法を有し、前記複数の第４電極端子のうち一方の第４電極端子は第１の幅寸法よりも広い第３の幅寸法を有し、他方の第４電極端子は前記第３の幅寸法よりも狭い第４の幅寸法を有する、
ことを特徴とするディスプレイパネル。
【請求項９】
請求項８に記載されたディスプレイパネルにおいて、
前記第１の幅寸法を有する第３電極端子は、前記第３の幅寸法を有する第４電極端子と接続され、前記第２の幅寸法を有する第３電極端子は、前記第４の幅寸法を有する第４電極端子と接続された、
ことを特徴とするディスプレイパネル。
【請求項１０】
請求項６から請求項９のいずれかに記載されたディスプレイパネルにおいて、
前記第３電極端子は引出部と接続され、前記第４電極端子は引出部と接続され、これらの第３電極端子と第４電極端子とはそれぞれ前記引出部の幅寸法より広い幅寸法を有する、
ことを特徴とするディスプレイパネル。
【発明の詳細な説明】
【技術分野】
【０００１】
本発明は、プラズマディスプレイパネル、その他のディスプレイパネルに関する。
【背景技術】
【０００２】
一対の平面基板同士を放電空間を介して互いに対向配置し、一方の基板内面上に井桁状もしくはストライプ状の隔壁を設けることによって前記放電空間を複数個の放電セルに区画し、これら複数個の放電セル内で選択的に放電発光させることにより画像表示を実施するプラズマディスプレイパネルが知られている。
【０００３】
このプラズマディスプレイパネルの従来例には、パネル電極端子に、駆動回路を搭載したモジュールパッケージを、フレキシブルプリント基板（ＦＰＣ）を介して電気的に接続したものがある（特許文献１）。
この従来例では、プラズマディスプレイパネルを構成するデータパネルの端部には複数のパネル電極端子が並べて形成され、フレキシブルプリント基板には複数のＦＰＣ電極端子が並べて形成されている。これらのパネル電極端子に絶縁層を交互にずらせて部分的に配置してパネル電極端子が千鳥状に露出され、ＦＰＣ電極端子に絶縁層を交互にずらせて部分的に配置してＦＰＣ電極端子が千鳥状に露出される。露出された電極端子同士は、異方性導電フィルムを介して互いに接続される。
【０００４】
【特許文献１】特開２００３−１７８６８６号公報
【発明の開示】
【発明が解決しようとする課題】
【０００５】
特許文献１で示される従来例では、接続端子部が隣接する端子部間で交互にずらして配置されるので隣接する端子部間での短絡が防止されるが、複数のパネル電極端子を所定枚数、例えば、２枚のＦＰＣに設けられた電極端子で接続しようとすると、端子部のピッチ、接続端子数によっては、電極端子の両端でのずれが接続端子部の電極間の幅より大きくなる場合が生じ、接続不良となるという課題が一例として挙げられる。
【０００６】
本発明は、上述したような問題点に鑑みて、接続不良を生じさせないディスプレイパネルを提供することを目的とする。
【課題を解決するための手段】
【０００７】
請求項１に記載の発明は、パネル基板の端部に並んで配置された複数の第１電極端子に、前記第１電極端子と接続される第２電極端子を複数有するフレキシブルプリント基板を介して駆動回路基板に接続されるディスプレイパネルであって、前記複数の第１電極端子の互いに隣接する第１電極端子を前記複数の第１電極端子が並べられた幅方向とは交差する方向に交互にずらして配置し、前記複数の第２電極端子の互いに隣接する第２電極端子を前記第１電極端子とは逆の関係となるように交互にずらして配置し、前記第１電極端子と前記第２電極端子との幅方向の寸法が異なる、ことを特徴とするディスプレイパネル。
請求項６に記載の発明は、パネル基板の端部に並んで配置された複数の第１電極端子と接続される第２電極端子と、駆動回路基板の端部に並んで配置された複数の第３電極端子と接続される第４電極端子とをそれぞれ複数有するフレキシブルプリント基板を備えるディスプレイパネルであって、前記複数の第３電極端子の互いに隣接する第３電極端子を前記複数の第３電極端子が並べられた幅方向とは交差する方向に交互にずらして配置し、前記複数の第４電極端子の互いに隣接する第４電極端子を前記第３電極端子とは逆の関係となるように交互にずらして配置し、前記第３電極端子と前記第４電極端子との幅方向の寸法が異なる、ことを特徴とするディスプレイパネル。
【発明を実施するための最良の形態】
【０００８】
〔第１実施形態〕
以下、本発明の実施形態を図面に基づいて説明する。なお、各実施形態では、表示パネルとしてのプラズマディスプレイパネルの背面基板に複数のアドレス電極パターンを形成する構成を例示して説明するが、これに限らず、例えばＦＥＤ、ＬＥＤディスプレイパネル、有機ＥＬ、液晶ディスプレイなど、基板に電極パターンを形成する構成であればいずれの構成でも適用できる。
【０００９】
［第１実施形態にかかるプラズマディスプレイパネルの構成］
図１から図５には本発明の第１実施形態が示されている。
図１は、第１実施形態にかかるプラズマディスプレイパネル１の分解斜視図である。
図１において、プラズマディスプレイパネル１は、放電空間５０を介して前面基板１０と背面基板２０とが互いに対向配置されている構成である。
前面基板１０は、長方形状の平面ガラス板であり、その放電空間形成領域内には、複数の透明電極１１Ａと、複数のバス電極１１と、複数のブラックストライプ１２と、誘電体層１３と、保護層１４と、などが設けられている。
複数の透明電極１１Ａは、ＩＴＯ（Ｉｎｄｉｕｍ Ｔｉｎ Ｏｘｉｄｅ）などの透明導電膜で、例えば、それぞれ略Ｔ字形状に形成されている。この透明電極１１Ａは、１つの放電セル２３１に２つの透明電極１１Ａが対応する状態で配置され、前面基板１０上に一対ずつ設けられる。
【００１０】
複数のバス電極１１は、一対の走査電極１１Ｙおよび共通電極１１Ｘから構成されており、行方向に対して平行に一定の間隔で配列されている。
複数の走査電極１１Ｙは、それぞれ、例えばＡｇ（銀）を主成分とした金属材料からなるストライプ状の電極パターンである。これらの走査電極１１Ｙは、前面基板１０の内面上に密着して形成され、行方向に沿って平行に一定の間隔で配設されている。そして、走査電極１１Ｙは、一対の透明電極１１Ａのうち片方の透明電極１１Ａの一端部に積層した状態で接続され、透明電極１１Ａのそれぞれに個別に電圧パルスを導入する。
共通電極１１Ｘは、走査電極１１Ｙと同様に例えばＡｇ（銀）を主成分とした金属材料からなり、ストライプ状の電極パターンである。これら共通電極１１Ｘは、前面基板１０の内面上に密着して形成され、行方向に沿って平行に一定の間隔で配設されている。そして、共通電極１１Ｘは、一対の透明電極１１Ａのうち他方の透明電極１１Ａの一端部に積層した状態で接続され、全ラインにおける前記他方の透明電極１１Ａのそれぞれに共通の電圧パルスを導入する。
【００１１】
複数のブラックストライプ１２は、黒色無機顔料などの可視光吸収性材料からなり、外光の反射により表示のコントラストが悪化することを防ぐために設けられる。これらブラックストライプ１２は、走査電極１１Ｙと走査電極１１Ｙとで挟まれた空隙および共通電極１１Ｘと共通電極１１Ｘとで挟まれた空隙に形成される。なお、ブラックストライプ１２を形成する位置は、透明電極１１Ａが形成される位置により決定される。
誘電体層１３は、例えばガラスペーストからなり、前面基板１０内面側に設けられた複数の透明電極１１Ａ、複数のバス電極１１、および複数のブラックストライプ１２を覆うように、前面基板１０内面上の放電空間形成領域の全領域に亘り設けられる。保護層１４は、ＭｇＯ（酸化マグネシウム）などにより、誘電体層１３上の全面に形成され、誘電体層１３を保護する。
【００１２】
背面基板２０は、長方形状の平面ガラス板であり、その放電空間形成領域内には、列電極としての複数のアドレス電極２１と、アドレス電極保護層２２と、隔壁２３と、赤（Ｒ）、緑（Ｇ）、青（Ｂ）の３原色の蛍光体層２４Ｒ,２４Ｇ,２４Ｂと、などが配設されている。また、背面基板２０は、ガス排気用・不活性ガス導入用の図示しない孔および排気管を備えている。
アドレス電極２１は、例えばＡｌ（アルミニウム）を主成分とした金属材料からなるストライプ状の電極パターンである。これらアドレス電極２１は、背面基板２０の内面上に密着して形成され、列方向に沿って平行に一定の間隔で配設されている。そして、アドレス電極２１のアドレス電極引出部形成領域側における列方向の端部は、それぞれ放電空間形成領域の列方向端部まで延長して形成されている。
【００１３】
アドレス電極保護層２２は、ガラスペーストからなり、アドレス電極２１を覆うように背面基板２０の内面上における放電空間形成領域の全面に形成されている。
隔壁２３は、例えばアドレス電極保護層２２と同一成分のガラスペーストで井桁状に形成され、アドレス電極保護層２２上における引出電極形成領域を除いた放電空間形成領域内に形成されている。この隔壁２３は、放電空間５０を井桁状に区画し、これにより複数の矩形状の放電セル２３１が形成される。
赤（Ｒ）、緑（Ｇ）、青（Ｂ）の３原色の蛍光体層２４Ｒ,２４Ｇ,２４Ｂは、これら複数の放電セル２３１の内部に順に形成される。そして、蛍光体層２４Ｒ,２４Ｇ,２４Ｂは、それぞれの放電セル２３１で発生した紫外光により励起され、赤（Ｒ）、緑（Ｇ）、青（Ｂ）の３原色の可視光を発光する。
【００１４】
図２は、プラズマディスプレイパネル１がフレキシブルプリント基板に接続された状態の背面図である。
前面基板１０には走査電極１１Ｙが図２中上下に複数が並んで配置されており、その一端が前面基板１０の一端縁（図２中右側）まで延びている。
前面基板１０には隣り合う走査電極１１Ｙの間において走査電極１１Ｙと平行に共通電極１１Ｘが配置され、これらの共通電極１１Ｘは、その他端が前面基板１０の他端縁（図２中左側）まで延びている。
背面基板２０には走査電極１１Ｙおよび共通電極１１Ｘと直交するようにアドレス電極２１が複数配置されている。このアドレス電極２１は、その一端が背面基板２０の一端縁（図２中下側）まで延びている。
なお、図２において、共通電極１１Ｘ、走査電極１１Ｙならびにアドレス電極２１は、その配列関係をわかりやすくするために、本数を一部省略して記載されている。
【００１５】
前面基板１０に形成された複数の走査電極１１Ｙには、その一端側（図２中右側）において２個の走査電極側のフレキシブルプリント基板１８が接続されており、前面基板１０に形成された複数の共通電極１１Ｘには、その他端側（図２中左側）において２個の維持電極側のフレキシブルプリント基板２８に接続されている。そして、背面基板２０に形成された複数のアドレス電極２１にはアドレス電極側の接続基板３８が接続されている。
走査電極側のフレキシブルプリント基板１８は、複数の走査電極１１Ｙと一端部が電気的に接続されており、他端部が図示しない駆動回路基板と電気的に接続されている。
維持電極側のフレキシブルプリント基板２８は複数の共通電極１１Ｘと一端部が電気的に接続されており、他端部が図示しない駆動回路基板と電気的に接続されている。
フレキシブルプリント基板１８，２８の幅寸法は前面基板１０の幅寸法の半分より短い。
【００１６】
走査電極側のフレキシブルプリント基板１８と前面基板１０との接続構造が図３から図５に示されている。図３は、フレキシブルプリント基板１８と前面基板１０の一端部とをそれぞれ示す概略平面図であり、図４は、フレキシブルプリント基板１８と前面基板１０とを接合する状態を示す端面図であり、図５は、フレキシブルプリント基板１８と前面基板１０とを接続した状態を示す概略平面図である。なお、これらの図では、プラズマディスプレイパネル１の一端部のみを示すので、共通電極１１Ｘが図示されていない。
【００１７】
図３において、走査電極１１Ｙは、直線状に形成された引出部１１Ｙ１と、この引出部１１Ｙ１より幅広の平面矩形状の第１電極端子１１Ｙ２とを備えている。
第１電極端子１１Ｙ２は、走査電極１１Ｙが並べられた方向と直交する方向（図２中左右）において交互にずれるように千鳥状に配置されている。
これらの第１電極端子１１Ｙ２のうち図３中、上から数えて偶数行の第１電極端子１１Ｙ２は、前面基板１０の端縁より寸法Ｌ１だけ内側に位置するように配置され、かつ、その幅寸法が第１の幅寸法Ｙ１１とされる。
第１電極端子１１Ｙ２のうち図３中、上から数えて奇数行の第１電極端子１１Ｙ２は、前面基板１０の端縁より寸法Ｌ２（Ｌ２＞Ｌ１）となるように偶数行の第１電極端子１１Ｙ２より内側になるように配置され、かつ、その幅寸法が第２の幅寸法Ｙ１２とされる。これらの第１電極端子１１Ｙ２のうち奇数行に配置されたものの長さ寸法は偶数行に配置されたものの長さ寸法より長い。
【００１８】
走査電極側のフレキシブルプリント基板１８は、各第１電極端子１１Ｙ２とそれぞれ接続される接続電極１８Ｙが設けられている。
この接続電極１８Ｙは図示しない駆動回路基板に接続されるストライプ状の引出部１８Ｙ１と、この引出部１８Ｙ１と連設されるとともに第１電極端子１１Ｙ２と接続される第２電極端子１８Ｙ２とを備えている。
これらの第２電極端子１８Ｙ２のうち互いに隣接する第２電極端子１８Ｙ２が第１電極端子１１Ｙ２とは逆の関係となるように交互にずらして千鳥状に配置されている。
即ち、第２電極端子１８Ｙ２のうち図３中、上から数えて偶数行の第２電極端子１８Ｙ２は、内側に位置するように配置され、かつ、その幅寸法が第３の幅寸法Ｙ１３とされる。偶数行に配置された第２電極端子１８Ｙ２は偶数行に配置された第１電極端子１１Ｙ２と接続される。
第２電極端子１８Ｙ２のうち図３中、上から数えて奇数行の第２電極端子１８Ｙ２は、偶数行のものより外側に位置するように配置され、かつ、その幅寸法が第４の寸法Ｙ１４とされる。奇数行に配置された第２電極端子１８Ｙ２は奇数行に配置された第１電極端子１１Ｙ２と接続される。
【００１９】
これらの第２電極端子１８Ｙ２のうち奇数行に配置されたものの長さ寸法は第１電極１１Ｙ２の偶数行に配置されたものと同じであり、第２電極端子１８Ｙ２のうち偶数行に配置されたものの長さ寸法は第１電極端子１１Ｙ２の奇数行に配置されたものと同じである。
ここで、第２の幅寸法Ｙ１２は第１の幅寸法Ｙ１１より広く、第４の幅寸法Ｙ１４は第３の幅寸法Ｙ１３より狭い。第１の幅寸法Ｙ１１と第４の幅寸法Ｙ１４とは略同じであり、そのため、第１の幅寸法Ｙ１１が第３の幅寸法Ｙ１３より狭いことになる。同様に、第２の幅寸法Ｙ１２と第３の幅寸法Ｙ１３とは同じあり、第２の幅寸法Ｙ１２が第４の幅寸法Ｙ１４より広いことになる。
【００２０】
図４および図５に示される通り、前面基板１０に設けられた第１電極端子１１Ｙ２とフレキシブルプリント基板１８に設けられた第２電極端子１８Ｙ２とは異方性導電フィルム（ＡＣＦ: Anisotropic Conductive Film）６０を介在し、加熱しながら加圧することで互いに接続がなされている。
異方性導電フィルム６０の平面上の大きさは第１電極端子１１Ｙ２と第２電極端子１８Ｙ２との重なり部分と略同じである。
【００２１】
本実施形態では、維持電極側のフレキシブルプリント基板２８と共通電極１１Ｘとの接続構造は図３から図５で示されるフレキシブルプリント基板１８と走査電極１１Ｙとの接続構造と同じである。
即ち、共通電極１１Ｘは直線状に形成された引出部１１Ｘ１と、この引出部１１Ｘ１より幅広の平面矩形状の第１電極端子とを備えている。この第１電極端子は図３から図５で示される第１電極端子１１Ｙ２と同じ形状であり、図２中左右において交互にずれるように千鳥状に配置されている。
維持電極側のフレキシブルプリント基板２８は、各第１電極端子とそれぞれ接続される接続電極が設けられている。この接続電極はストライプ状の図示しない引出部と、この引出部と連設されるとともに第１電極端子と接続される図示しない第２電極端子とを備えている。これらの第２電極端子のうち互いに隣接する第２電極端子が第１電極端子とは逆の関係となるように交互にずらして千鳥状に配置されている。第１電極端子とフレキシブルプリント基板２８に設けられた第２電極端子とは異方性導電フィルム６０を介在して互いに接続される。
接続基板３８と背面基板２０との接続構造は従来と同じである。
【００２２】
〔第１実施形態にかかるプラズマディスプレイパネルの作用効果〕
（１）前面基板１０の一端部に並んで配置された複数の第１電極端子１１Ｙ２は、第１電極端子１１Ｙ２と接続される第２電極端子１８Ｙ２を複数有するフレキシブルプリント基板１８を介して駆動回路基板に接続される。そして、複数の第１電極端子１１Ｙ２の互いに隣接する第１電極端子１１Ｙ２を複数の第１電極端子１１Ｙ２が並べられた方向とは交差する方向に交互にずらして配置し、複数の第２電極端子１８Ｙ２の互いに隣接する第２電極端子１８Ｙ２を第１電極端子１１Ｙ２とは逆の関係となるように交互にずらして配置した。その上、第１電極端子１１Ｙ２の幅寸法Ｙ１１（Ｙ１２）と第２電極端子１８Ｙ２の幅寸法Ｙ１３（Ｙ１４）とは異なる。そのため、第１電極端子１１Ｙ２と第２電極端子１８Ｙ２とを端子並び方向とは直交する方向にそれぞれずらして配置しているから、互いに隣接する第１電極端子１１Ｙ２や互いに隣接する第２電極端子１８Ｙ２のスペースを確保することができる。その上、互いに接続される第１電極端子１１Ｙ２と第２接続端子１８Ｙ２との幅寸法が異なるので、２枚のフレキシブルプリント基板１８と前面基板１０の走査電極１１Ｙとを接続するにあたり、複数の第２接続端子１８Ｙ２のうち両端間でのずれがあっても、第１接続端子１１Ｙ２と第２接続端子１８Ｙ２との接続部分（重複部分）がずれることが少ないので、確実な接続を確保することができる。
【００２３】
（２）複数の第１電極端子１１Ｙ２の互いに隣接する第１電極端子１１Ｙ２は異なる幅寸法、つまり、第１の幅寸法Ｙ１１と第２の幅寸法Ｙ１２とを有するため、限られたスペースの中で隣り合う第１電極端子１１Ｙ１を互いに干渉させることなく前面基板１０に設けることができる。
（３）同様に、複数の第２電極端子１８Ｙ２の互いに隣接する第２電極端子１８Ｙ２は異なる幅寸法、つまり、第３の幅寸法Ｙ１３と第４の幅寸法Ｙ１４とを有するため、限られたスペースの中で隣り合う第２電極端子１８Ｙ２を互いに干渉させることなくフレキシブルプリント基板１８に設けることができる。
【００２４】
（４）偶数列の第１電極端子１１Ｙ２は第１の幅寸法Ｙ１１を有し、奇数列の第１電極端子１１Ｙ２は第１の幅寸法Ｙ１１よりも広い第２の幅寸法Ｙ１２を有し、偶数列の第２電極端子１８Ｙ２は第１の幅寸法Ｙ１１よりも広い第３の幅寸法Ｙ１３を有し、奇数列の第２電極端子１８Ｙ２は第３の幅寸法Ｙ１３よりも狭い第４の幅寸法Ｙ１４を有する。そのため、限られたスペースの前面基板１０の端部に第１電極端子１１Ｙ１を効率的に設けることができるとともに、限られたスペースのフレキシブルプリント基板１８に第２電極端子１８Ｙ２を効率的に設けることができる。
【００２５】
（５）第１の幅寸法Ｙ１１を有する第１電極端子１１Ｙ２は、第３の幅寸法Ｙ１３を有する第２電極端子１８Ｙ２と接続され、第２の幅寸法Ｙ１２を有する第１電極端子１１Ｙ２は、第４の幅寸法Ｙ１４を有する第２電極端子１８Ｙ２と接続される。そのため、限られたスペースに複数の第１電極端子１１Ｙ２が設けられた前面基板１０と、限られたスペースに複数の第２電極端子１８Ｙ２が設けられたフレキシブルプリント基板１８とを確実に接続することができる。
【００２６】
（６）第１電極端子１１Ｙ２は引出部１１Ｙ１より幅寸法が大きく、第２接続端子１８Ｙ２は引出部１８Ｙ１より幅寸法が大きいので、接続端子部の接続面積を確保することができ、接続構造を良好なものにすることができる。
（７）第１電極端子１１Ｙ２と第２電極端子１８Ｙ２とをそれぞれ平面矩形状に形成したから、従来と同様の方法でこれらの電極端子を形成することができる。
【００２７】
〔第２実施形態〕
次に、本発明の第２実施形態を図６に基づいて説明する。第２実施形態は第１電極端子１１Ｙ２と第２電極端子１８Ｙ２とのそれぞれの配列を第１実施形態とは逆にしたものであり、それ以外の構成は第１実施形態と同じである。第２実施形態の説明において、第１実施形態と同様の構成は同一符号を付して説明を省略する。
図６は第２実施形態の要部を示すもので、図３に対応した図である。
【００２８】
図６において、前面基板１０の端部には、第１の幅寸Ｙ１１を有する第１電極端子１１Ｙ２が偶数列に配置され、第２の幅寸法Ｙ１２を有する第１電極端子１１Ｙ２が奇数列に配置されている。
フレキシブルプリント基板１８には、第３の幅寸Ｙ１３を有する第２電極端子１８Ｙ２が偶数列に配置され、第４の幅寸法Ｙ１４を有する第２電極端子１８Ｙ２が奇数列に配置されている。
第１実施形態と同様に、第１の幅寸法Ｙ１１を有する第１電極端子１１Ｙ２が第３の幅寸法Ｙ１３を有する第２電極端子１８Ｙ２と異方性導電フィルム６０（図４および図５参照）を介在して互いに接続され、第２の幅寸法Ｙ１２を有する第１電極端子１１Ｙ２が第４の幅寸法Ｙ１４を有する第２電極端子１８Ｙ２と異方性導電フィルム６０（図４および図５参照）を介在して互いに接続されている。
【００２９】
従って、第２実施形態は第１実施形態とは第１接続端子１１Ｙ２の配列ならびに第２接続端子１８Ｙ２の配列が異なるのみであるから、第１実施形態の（１）〜（７）と同様の作用効果を奏することができる。
【００３０】
〔第３実施形態〕
次に、本発明の第３実施形態を図７に基づいて説明する。第３実施形態は前面基板１０の偶数列に配置された第１電極端子１１Ｙ２の形状と、フレキシブルプリント基板２８の奇数列に配置された第２電極端子１８Ｙ２の形状とがそれぞれ第１実施形態とは異なるもので、それ以外の構成は第１実施形態と同じである。第３実施形態の説明において、第１実施形態と同様の構成は同一符号を付して説明を省略する。
図７は第３実施形態の要部を示すもので、図３に対応した図である。
【００３１】
図７において、前面基板１０の奇数列には前記走査電極１１Ｙが配置され、偶数列には走査電極１１Ｙ’が配置されている。走査電極１１Ｙは引出部１１Ｙ１に第２の幅寸法Ｙ１２を有する第１電極端子１１Ｙ２が接続された構成である。
偶数列に配置された走査電極１１Ｙ’は引出部１１Ｙ１にこの引出部１１Ｙ１と同じ寸法の第１の幅寸法Ｙ１１を有する第１電極端子１１Ｙ３が接続された構成である。
フレキシブルプリント基板１８の偶数列には前記接続電極１８Ｙが配置され、奇数列には接続電極１８Ｙ’が配置されている。接続電極１８Ｙは引出部１１Ｙ１に第３の幅寸法Ｙ１３を有する第２電極端子１１Ｙ２が接続された構成である。
奇数列に配置された接続電極１８Ｙ’は引出部１８Ｙ１にこの引出部１８Ｙ１と同じ第４の幅寸法Ｙ１４を有する第２電極端子１８Ｙ３が接続された構成である。
【００３２】
第１実施形態と同様に、第１の幅寸法Ｙ１１を有する第１電極端子１１Ｙ３が第３の幅寸法Ｙ１３を有する第２電極端子１８Ｙ２と異方性導電フィルム６０（図４および図５参照）を介在して互いに接続され、第２の幅寸法Ｙ１２を有する第１電極端子１１Ｙ２が第４の幅寸法Ｙ１４を有する第２電極端子１８Ｙ３と異方性導電フィルム６０（図４および図５参照）を介在して互いに接続されている。
【００３３】
従って、第３実施形態は第１実施形態とは第１の幅寸法Ｙ１１と第４の幅寸法Ｙ１４とを相違させたのみであるから、第１実施形態の（１）〜（７）と同様の作用効果を奏することができる。
【００３４】
〔第４実施形態〕
次に、本発明の第４実施形態を図８から図１０に基づいて説明する。第４実施形態は本発明をフレキシブルプリント基板１８と駆動回路基板との接続関係に適用したものである。なお、プラズマディスプレイパネル自体の構成は第１実施形態と同じである。第４実施形態の説明において、第１実施形態と同様の構成は同一符号を付して説明を省略する。
図８は第４実施形態の要部を示すもので、図３に対応した図であり、図９は図４に対応した図であり、図１０は図５に対応した図である。
【００３５】
これらの図において、フレキシブルプリント基板１８の一端側は図８から図１０では図示を省略したプラズマディスプレイパネル１に接続され、フレキシブルプリント基板１８の他端側は駆動回路基板１９に接続されている。
駆動電極基板１９は、複数の接続電極１９Ｙを備えており、これらの接続電極１９Ｙのフレキシブルプリント基板１８側には、ストライプ状の引出部１９Ｙ１と、この引出部１９Ｙ１と連設される第３電極端子１９Ｙ２とを備えている。
第３電極端子１９Ｙ２は、接続電極１９Ｙが並べられた方向と直交する方向（図８中左右）において交互にずれるように千鳥状に配置されている。
これらの第３電極端子１１Ｙ２のうち図３中、上から数えて偶数行の第３電極端子１９Ｙ２は、駆動回路基板１９の端縁より寸法Ｌ１だけ内側に位置するように配置され、かつ、その幅寸法が第１の幅寸法Ｙ１１とされる。
第３電極端子１９Ｙ２のうち図３中、上から数えて奇数行の第１電極端子１９Ｙ２は、駆動回路基板１９の端縁より寸法Ｌ２（Ｌ２＞Ｌ１）となるように偶数行の第３電極端子１９Ｙ２より内側になるように配置され、かつ、その幅寸法が第２の幅寸法Ｙ１２とされる。これらの第３電極端子１９Ｙ２のうち奇数行に配置されたものの長さ寸法は偶数行に配置されたものの長さ寸法より長い。
【００３６】
フレキシブルプリント基板１８は、各第３電極端子１９Ｙ２とそれぞれ接続される接続電極１８Ｙが設けられている。
この接続電極１８Ｙは、ストライプ状の引出部１８Ｙ１と、この引出部１８Ｙ１と連設されるとともに第３電極端子１９Ｙ２と接続される第４電極端子１８Ｙ４とを備えている。
これらの第４電極端子１８Ｙ４のうち互いに隣接する第４電極端子１８Ｙ４が第３電極端子１９Ｙ２とは逆の関係となるように交互にずらして千鳥状に配置されている。
即ち、第４電極端子１８Ｙ４のうち図８中、上から数えて偶数行の第４電極端子１８Ｙ４は、内側に位置するように配置され、かつ、その幅寸法が第３の幅寸法Ｙ１３とされる。偶数行に配置された第４電極端子１８Ｙ４は偶数行に配置された第３電極端子１９Ｙ２と接続される。
第４電極端子１８Ｙ４のうち図３中、上から数えて奇数行の第４電極端子１８Ｙ４は、偶数行のものより外側に位置するように配置され、かつ、その幅寸法が第４の寸法Ｙ１４とされる。奇数行に配置された第４電極端子１８Ｙ４は奇数行に配置された第３電極端子１９Ｙ２と接続される。
【００３７】
これらの第４電極端子１８Ｙ４のうち奇数行に配置されたものの長さ寸法は第３電極１９Ｙ２の偶数行に配置されたものと同じであり、第４電極端子１８Ｙ４のうち偶数行に配置されたものの長さ寸法は第３電極端子１９Ｙ２の奇数行に配置されたものと同じである。
ここで、第２の幅寸法Ｙ１２は第１の幅寸法Ｙ１１より広く、第４の幅寸法Ｙ１４は第３の幅寸法Ｙ１３より狭い。第１の幅寸法Ｙ１１と第４の幅寸法Ｙ１４とは略同じであり、そのため、第１の幅寸法Ｙ１１が第３の幅寸法Ｙ１３より狭いことになる。同様に、第２の幅寸法Ｙ１２と第３の幅寸法Ｙ１３とは同じあり、第２の幅寸法Ｙ１２が第４の幅寸法Ｙ１４より広いことになる。
【００３８】
図９および図１０に示される通り、駆動回路基板１９に設けられた第３電極端子１９Ｙ２とフレキシブルプリント基板１８に設けられた第４電極端子１８Ｙ４とは異方性導電フィルム６０を介在し、加熱しながら加圧することで互いに接続がなされている。
異方性導電フィルム６０の平面上の大きさは第３電極端子１９Ｙ２と第４電極端子１８Ｙ４との重なり部分と略同じである。
【００３９】
第４実施形態は次に示される通り、第１実施形態と同様の作用効果を奏することができる。
（８）複数の第１電極端子１１Ｙ２と接続される第２電極端子１８Ｙ２と、駆動回路基板１９の端部に並んで配置された複数の第３電極端子１９Ｙ２と接続される第４電極端子１８Ｙ４とをそれぞれ複数有するフレキシブルプリント基板１８を備える。そして、複数の第３電極端子１９Ｙ２の互いに隣接する第３電極端子１９Ｙ２を複数の第３電極端子１９Ｙ２が並べられた幅方向とは交差する方向に交互にずらして配置し、複数の第４電極端子１８Ｙ４の互いに隣接する第４電極端子１８Ｙ４を第３電極端子１９Ｙ２とは逆の関係となるように交互にずらして配置した。そして、第３電極端子１９Ｙ２と第４電極端子１８Ｙ４との幅方向の寸法が異なる。そのため、第３電極端子１９Ｙ２と第４電極端子１８Ｙ４とを端子並び方向とは直交する方向にそれぞれずらして配置しているから、互いに隣接する第３電極端子１９Ｙ２や互いに隣接する第４電極端子１８Ｙ４のスペースを確保することができる。その上、互いに接続される第３電極端子１９Ｙ２と第４接続端子１８Ｙ４との幅寸法が異なるので、２枚のフレキシブルプリント基板１８と駆動回路基板１９とを接続するにあたり、複数の第４接続端子１８Ｙ４のうち両端間でのずれがあっても、第３接続端子１９Ｙ２と第４接続端子１８Ｙ４との接続部分がずれることが少ないので、確実な接続を確保することができる。
【００４０】
（９）複数の第３電極端子１９Ｙ２のうち互いに隣接する第３電極端子１９Ｙ２は異なる幅寸法、つまり、第１の幅寸法Ｙ１１と第２の幅寸法Ｙ１２とを有するため、限られたスペースの中で隣り合う第３電極端子１９Ｙ２を互いに干渉させることなく駆動回路基板１９に設けることができる。
（１０）同様に、複数の第４電極端子１８Ｙ４のうち互いに隣接する第２電極端子１８Ｙ４は異なる幅寸法、つまり、第３の幅寸法Ｙ１３と第４の幅寸法Ｙ１４とを有するため、限られたスペースの中で隣り合う第４電極端子１８Ｙ４を互いに干渉させることなくフレキシブルプリント基板１８に設けることができる。
【００４１】
（１１）偶数列の第３電極端子１９Ｙ２は第１の幅寸法Ｙ１１を有し、奇数列の第３電極端子１９Ｙ２は第１の幅寸法Ｙ１１よりも広い第２の幅寸法Ｙ１２を有し、偶数列の第４電極端子１８Ｙ４は第１の幅寸法Ｙ１１よりも広い第３の幅寸法Ｙ１３を有し、奇数列の第４電極端子１８Ｙ４は第３の幅寸法Ｙ１３よりも狭い第４の幅寸法Ｙ１４を有する。そのため、限られたスペースの駆動回路基板１９の端部に第３電極端子１９Ｙ２を効率的に設けることができるとともに、限られたスペースのフレキシブルプリント基板１８に第４電極端子１８Ｙ４を効率的に設けることができる。
【００４２】
（１２）第１の幅寸法Ｙ１１を有する第３電極端子１９Ｙ２は、第３の幅寸法Ｙ１３を有する第４電極端子１８Ｙ４と接続され、第２の幅寸法Ｙ１２を有する第３電極端子１９Ｙ２は、第４の幅寸法Ｙ１４を有する第４電極端子１８Ｙ４と接続される。そのため、限られたスペースに複数の第３電極端子１９Ｙ２が設けられた駆動回路基板１９と、限られたスペースに複数の第４電極端子１８Ｙ４が設けられたフレキシブルプリント基板１８とを確実に接続することができる。
【００４３】
（１３）第３接続端子１９Ｙ２は引出部１９Ｙ１より幅寸法が大きく、第４接続端子１８Ｙ４は引出部１８Ｙ１より幅寸法が大きいので、接続端子部の接続面積を確保することができ、接続構造を良好なものにすることができる。
（１４）第３電極端子１９Ｙ２と第４電極端子１８Ｙ４とをそれぞれ平面矩形状に形成したから、従来と同様の方法でこれらの電極端子を形成することができる。
【００４４】
〔第５実施形態〕
次に、本発明の第５実施形態を図１１に基づいて説明する。第５実施形態は第３電極端子１９Ｙ２と第４電極端子１８Ｙ４とのそれぞれの配列を第４実施形態とは逆にしたものであり、それ以外の構成は第４実施形態と同じである。第５実施形態の説明において、第１実施形態と同様の構成は同一符号を付して説明を省略する。
図１１は第５実施形態の要部を示すもので、図８に対応した図である。
【００４５】
図１１において、駆動回路基板１９の端部には、第１の幅寸Ｙ１１を有する第３電極端子１９Ｙ２が偶数列に配置され、第２の幅寸法Ｙ１２を有する第３電極端子１９Ｙ２が奇数列に配置されている。
フレキシブルプリント基板１８には、第３の幅寸Ｙ１３を有する第４電極端子１８Ｙ４が偶数列に配置され、第４の幅寸法Ｙ１４を有する第４電極端子１８Ｙ４が奇数列に配置されている。
第４実施形態と同様に、第１の幅寸法Ｙ１１を有する第３電極端子１９Ｙ２が第３の幅寸法Ｙ１３を有する第４電極端子１８Ｙ４と異方性導電フィルム６０（図９および図１０参照）を介在して互いに接続され、第２の幅寸法Ｙ１２を有する第３電極端子１９Ｙ２が第４の幅寸法Ｙ１４を有する第４電極端子１８Ｙ４と異方性導電フィルム６０（図９および図１０参照）を介在して互いに接続されている。
【００４６】
従って、第５実施形態は第４実施形態とは第３接続端子１９Ｙ２の配列ならびに第４接続端子１８Ｙ４の配列が異なるのみであるから、第４実施形態の（８）〜（１３）と同様の作用効果を奏することができる。
【００４７】
〔第６実施形態〕
次に、本発明の第６実施形態を図１２に基づいて説明する。第６実施形態は駆動回路基板１９の偶数列に配置された第３電極端子１９Ｙ２の形状と、フレキシブルプリント基板１８の奇数列に配置された第４電極端子１８Ｙ４の形状とがそれぞれ第４実施形態とは異なるもので、それ以外の構成は第４実施形態と同じである。第６実施形態の説明において、第４実施形態と同様の構成は同一符号を付して説明を省略する。
図１２は第６実施形態の要部を示すもので、図８に対応した図である。
【００４８】
図１２において、駆動回路基板１９の奇数列には前記接続電極１９Ｙが配置され、偶数列には接続電極１９Ｙ’が配置されている。接続電極１９Ｙは引出部１９Ｙ１に第２の幅寸法Ｙ１２を有する第３電極端子１９Ｙ２が接続された構成である。
偶数列に配置された接続電極１９Ｙ’は引出部１９Ｙ１にこの引出部１９Ｙ１と同じ寸法の第１の幅寸法Ｙ１１を有する第３電極端子１９Ｙ３が接続された構成である。
フレキシブルプリント基板１８の偶数列には前記接続電極１８Ｙが配置され、奇数列には接続電極１８Ｙ’が配置されている。接続電極１８Ｙは引出部１１Ｙ１に第３の幅寸法Ｙ１３を有する第４電極端子１８Ｙ２が接続された構成である。
奇数列に配置された接続電極１８Ｙ’は引出部１８Ｙ１にこの引出部１８Ｙ１と同じ第４の幅寸法Ｙ１４を有する第４電極端子１８Ｙ４が接続された構成である。
【００４９】
第４実施形態と同様に、第１の幅寸法Ｙ１１を有する第３電極端子１９Ｙ３が第３の幅寸法Ｙ１３を有する第４電極端子１８Ｙ４と異方性導電フィルム６０（図９および図１０参照）を介在して互いに接続され、第２の幅寸法Ｙ１２を有する第３電極端子１９Ｙ２が第４の幅寸法Ｙ１４を有する第４電極端子１８Ｙ４と異方性導電フィルム６０（図９および図１０参照）を介在して互いに接続されている。
【００５０】
従って、第６実施形態は第４実施形態とは第１の幅寸法Ｙ１１と第４の幅寸法Ｙ１４とを相違させたのみであるから、第１実施形態の（８）〜（１３）と同様の作用効果を奏することができる。
【００５１】
〔実施形態の変形〕
なお、本発明は上述した実施形態に限定されるものではなく、本発明の目的を達成できる範囲で以下に示される変形をも含むものである。
すなわち、前述したように、前記各実施形態では、パネル基板としてのプラズマディスプレイパネルの前面基板１０に複数の第１電極端子１１Ｙ２を形成する構成を例示したが、これに限らず、例えばＦＥＤ、ＬＥＤディスプレイパネル、有機ＥＬ、液晶ディスプレイなど、パネル基板に電極パターンを形成する構成であればいずれの構成でも適用できる。
また、本発明では、隣り合う第１電極端子１１Ｙ１の幅寸法を同じにしてもよく、同様に、隣り合う第２電極端子１８Ｙ１の幅寸法を同じにしてもよい。
さらに、第１電極端子１１Ｙ２，１１Ｙ３、第２電極端子１８Ｙ２，１８Ｙ３、第３電極端子１９Ｙ２および第４電極端子１８Ｙ４を平面矩形状としたが、これを三角形や楕円形としてもよい。
【００５２】
前記各実施形態では、背面基板１０は矩形状の平面ガラス板としたが、これに限らず、例えば、正方形状の平面ガラス板や、矩形状の平面ガラス板を曲げた状態の基板など、様々な形状の基板に本発明を適用することができる。
また、背面基板１０は井桁状の隔壁２３を備える構成としたが、これに限らず、ストライプ状の隔壁を備える構成としてもよい。この場合、背面基板２０がストライプ状の隔壁を備えたことに伴って前面基板１０も隔壁の形状に対応する構成とする必要がある。
【００５３】
さらに、背面基板２０に形成された複数のアドレス電極２１は複数の帯状パターンであるとしたが、これに限らず、アドレス電極２１は、例えば複数の矩形波状や正弦波状などの様々なパターン形状とすることができる。そして、このアドレス電極２１の複数の帯状パターンは、フォトリソグラフィ法により形成される構成としたが、これに限らず、例えばフォトリソリフトオフ法などを用いて形成する構成としてもよい。
【００５４】
〔実施形態の作用効果〕
上述したように、本実施形態にかかるプラズマディスプレイパネル１は、前面基板１０の一端部に並んで配置された複数の第１電極端子１１Ｙ２に、第１電極端子１１Ｙ２と接続される第２電極端子１８Ｙ２を複数有するフレキシブルプリント基板１８を介して駆動回路基板に接続され、複数の第１電極端子１１Ｙ２の互いに隣接する第１電極端子１１Ｙ２を複数の第１電極端子１１Ｙ２が並べられた方向とは交差する方向に交互にずらして配置し、複数の第２電極端子１８Ｙ２の互いに隣接する第２電極端子１８Ｙ２を第１電極端子１１Ｙ２とは逆の関係となるように交互にずらして配置し、第１電極端子１１Ｙ２の幅寸法Ｙ１１（Ｙ１２）と第２電極端子１８Ｙ２の幅寸法Ｙ１３（Ｙ１４）とが異なる構成とした。そのため、第１電極端子１１Ｙ２と第２電極端子１８Ｙ２とを端子並び方向とは直交する方向にそれぞれずらして配置しているから、互いに隣接する第１電極端子１１Ｙ２や互いに隣接する第２電極端子１８Ｙ２のスペースを確保することができる。その上、互いに接続される第１電極端子１１Ｙ２と第２接続端子１８Ｙ２との幅寸法が異なるので、所定枚のフレキシブルプリント基板１８と基板の走査電極１１Ｙとを接続するにあたり、複数の第２接続端子１８Ｙ２のうち両端間でのずれがあっても、第１接続端子１１Ｙ２と第２接続端子１８Ｙ２との接続部分（重複部分）がずれることが少ないないので、確実な接続を確保することができる。
【図面の簡単な説明】
【００５５】
【図１】本発明の第１の実施形態が適用されるプラズマディスプレイパネルを示した分解斜視図。
【図２】プラズマディスプレイパネルがフレキシブルプリント基板に接続された状態を示す背面図。
【図３】フレキシブルプリント基板と前面基板の一端部とをそれぞれ示す概略平面図。
【図４】フレキシブルプリント基板と前面基板とを接合する状態を示す端面図。
【図５】フレキシブルプリント基板と前面基板とを接続した状態を示す概略平面図。
【図６】本発明の第２実施形態の要部を示すもので、図３に対応した図。
【図７】本発明の第３実施形態の要部を示すもので、図３に対応した図。
【図８】本発明の第３の実施形態に係るフレキシブルプリント基板と駆動回路基板の一端部とをそれぞれ示す概略平面図。
【図９】フレキシブルプリント基板と駆動回路基板とを接合する状態を示す端面図。
【図１０】フレキシブルプリント基板と駆動回路基板とを接続した状態を示す概略平面図。
【図１１】本発明の第５実施形態の要部を示すもので、図８に対応した図。
【図１２】本発明の第６実施形態の要部を示すもので、図８に対応した図。
【符号の説明】
【００５６】
１…プラズマディスプレイパネル、１０…前面基板、１１…バス電極、１１Ｘ…共通電極、１１Ｙ…走査電極、１１Ｙ１…引出部、１１Ｙ２，１１Ｙ３…第１電極端子、１８…フレキシブルプリント基板、１８Ｙ…接続電極、１８Ｙ１…引出部、１８Ｙ２，１８Ｙ３…第２電極端子、１８Ｙ４…第４電極端子、１９…駆動回路基板、１９Ｙ２…第３電極端子、２０…背面基板、２１…アドレス電極、Ｙ１１…第１の幅寸法、Ｙ１２…第２の幅寸法、Ｙ１３…第３の幅寸法、Ｙ１４…第４の寸法
【図１】
2008300297.tif 000003
【図２】
2008300297.tif 000004
【図３】
2008300297.tif 000005
【図４】
2008300297.tif 000006
【図５】
2008300297.tif 000007
【図６】
2008300297.tif 000008
【図７】
2008300297.tif 000009
【図８】
2008300297.tif 000010
【図９】
2008300297.tif 000011
【図１０】
2008300297.tif 000012
【図１１】
2008300297.tif 000013
【図１２】
2008300297.tif 000014